(57)【特許請求の範囲】
【請求項１】
座部に取り付けられる座受部材とこの座受部材と背凭れ部を支持する背支桿とを各々揺動自在に支持して脚部に取り付けられる脚側固定部材および前記座部と背凭れ部を原位置に復帰させる反力を付与する反力ユニットを備えた椅子の座受支持機構において、前記座受部材と脚側固定部材との間に、前記背凭れ部に荷重が掛かっていないときには死点を構成して前記座部にかかる荷重を支持すると共に前記背凭れ部に荷重が掛かるときには前記背支桿と連動して前記死点が解除されて屈曲し前記座部を前記背凭れ部の傾動と連動させて傾斜させるリンク機構を設けたことを特徴とする椅子の座受支持機構。
【請求項２】
前記座受部材と前記脚側固定部材とは前方において揺動可能に連結されると共に後方において前記リンク部材によって連結され、かつ前記リンク機構を構成するリンクの一方と前記背支桿とが背支桿リンクで互いに揺動可能に連結されると共に前記リンクと前記反力ユニットも連結され、前記背支桿と同一回転方向にリンク機構が屈曲することを特徴とする請求項１記載の椅子の座受支持機構。
【請求項３】
前記反力ユニットは、ガススプリングであることを特徴とする請求項１または請求項２記載の椅子の座受支持機構。
【請求項４】
前記反力ユニットはその伸長または短縮により前記座部及び前記背凭れ部に付勢力を与えるものであり、前記反力ユニットを伸長または短縮させて固定することにより初圧を設定する初圧調整機構を備えたことを特徴とする請求項１または２記載の椅子の座受支持機構。
【発明の詳細な説明】
【０００１】
【発明の属する技術分野】
本発明は、座部と背凭れ部とを連動して傾斜可能に脚部に取付ける椅子の座受支持機構に関する。更に詳述すると、本発明は、座部と背凭れ部との間に連動関係を与える座受支持機構のリンク機構の改善に関する。
【０００２】
【従来の技術】
従来から、着座姿勢を楽にするように、座部と背凭れ部とが座っている人の姿勢に応じて連動する椅子が開発されている。そして、背凭れ部と座部との傾斜を単に連動させるだけでなく、座部がその前部を中心に揺動し、座部の傾斜時に着座者の大腿部の裏側を圧迫しない機構が望まれている。このような要望に応えるものとして、例えば特開平４−１９３１０８号に開示された椅子が提案されている。
【０００３】
この椅子は、図７に示すように、前部シートフレーム１０１と後部シートフレーム１０２との上部に座部１０３を取り付け、後部シートフレーム１０２に連結部１０４及び背凭れ取付フレーム１０５を介して図示しない背凭れを設けている。着座者が背凭れに荷重を掛けて背凭れを傾斜させると、後部シートフレーム１０２が第２軸１０６を中心に回転し、座部の後部が下方に傾斜する。
【０００４】
【発明が解決しようとする課題】
しかしながら、上述した椅子では、座部１０３に荷重が掛かると同時に背凭れが連動して傾斜してしまうので、人が勢い良く腰掛けて座部１０３に大きな荷重Ｗが急激に掛けられると、座部１０３の後方が沈んで傾斜してしまうと同時に背凭れも後方に傾斜してしまう。その直後、後部シートフレーム１０２は圧縮コイルばね等から成る緩衝部材１０７により押し戻されるので、背凭れが着座者の背中を叩いて、着座者に不快感を与えてしまう。
【０００５】
そこで、本発明は、座部に勢い良く座っても背凭れが着座者の背中を叩かない椅子の座受支持機構を提供することを目的とする。
【０００６】
【課題を解決するための手段】
かかる目的を達成するため、請求項１の発明は、座部に取り付けられる座受部材とこの座受部材と背凭れ部を支持する背支桿とを各々揺動自在に支持して脚部に取り付けられる脚側固定部材および前記座部と背凭れ部を原位置に復帰させる反力を付与する反力ユニットを備えた椅子の座受支持機構において、前記座受部材と脚側固定部材との間に、前記背凭れ部に荷重が掛かっていないときには死点を構成して前記座部にかかる荷重を支持すると共に前記背凭れ部に荷重が掛かるときには前記背支桿と連動して前記死点が解除されて屈曲し前記座部を前記背凭れ部の傾動と連動させて傾斜させるリンク機構を設けている。
【０００７】
したがって、着座しても背凭れ部の背凭れに凭れ掛かっていない時には、座部を支持する屈曲可能なリンク機構が荷重作用方向に一直線上に配置されて死点を構成しているので、座部に荷重が掛かってもリンク機構には圧縮力しか作用せず座部が傾斜することもなければ背凭れが揺動することもない。
【０００８】
しかし、背凭れに凭れ掛かると、背凭れが後方へ傾くのに伴ってリンク機構に回転力が与えられて死点が解除され座部が傾き始める。すなわち、背凭れに荷重が掛かって初めて座部と背凭れとが連動する。また、背凭れの傾動に伴って、反力ユニットは背凭れに対して反力を付与しつつ圧縮力が蓄えられ、背凭れ及び座部から荷重が除かれた時にリンクを逆回転させて元の位置へ復帰させる。
【０００９】
また、請求項２の座受支持機構は、前記座受部材と前記脚側固定部材とは前方において揺動可能に連結されると共に後方において前記リンク部材によって連結され、かつ前記リンク機構を構成するリンクの一方と前記背支桿とが背支桿リンクで互いに揺動可能に連結されると共に前記リンクと前記反力ユニットも連結され、前記背支桿と同一回転方向にリンク機構が屈曲するようにしている。
【００１０】
したがって、背凭れに凭れ掛かると、背凭れが背支桿と共に後方へ傾き、これに伴い背支桿リンクを介してリンク機構が同方向に屈曲するため、リンク機構が死点状態から解かれ、座部の後方が沈むようにして傾き始める。そして、大腿部を圧迫しないような安楽姿勢をとる。
【００１１】
また、請求項３の椅子の座受支持機構は、反力ユニットとしてガススプリングを使用している。
【００１２】
さらに、請求項４の椅子の座受支持機構は、反力ユニットとしてその伸長または短縮により座部及び背凭れに付勢力を与えるものを採用し、かつその反力ユニットを伸長または短縮させて固定することにより初圧を設定する初圧調整機構を備えるようにしている。したがって、初圧調整機構を操作することにより、背凭れを傾動させるために必要な荷重の大きさが調整される。
【００１３】
【発明の実施の形態】
以下、本発明の構成を図面に示す実施の形態の一例に基づいて詳細に説明する。図１から図４に本発明の座受支持機構を回転椅子に適用した実施の一形態を示す。
【００１４】
本実施形態の椅子は、座部２と背凭れ部（背支桿９のみを示しその他は図示を省く）とこれらを支持する脚部（脚柱６のみを示しその他は省く）並びに座部２と背凭れ部とを連動して傾斜可能に脚部に取付ける座受支持機構１とから構成されている。
【００１５】
座受支持機構１は、座部２に取り付けられる座受部材（以下、座受金具と呼ぶ）８と、この座受金具８と背支桿９とを各々揺動自在に支持して脚部の脚柱６に取り付けられる脚側固定部材（以下、支持金具と呼ぶ）７と、座部２と背凭れ部を原位置に復帰させる反力を付与する反力ユニット１２およびを座受金具８と支持金具７との間を連結するリンク機構３とから主に構成されている。座受金具８と支持金具７とは前方においてピン継手で互いに揺動可能に連結されると共に後方においてリンク機構３によって連結されている。
【００１６】
リンク機構３は、本実施形態の場合、互いに揺動可能にピン継手で連結された第１及び第２の２枚のリンク４，５から成り、各リンク４，５が一直線に延びた状態で鉛直に配置されるようにして座受金具８と支持金具７とにそれぞれピン継手で互いに揺動可能に取り付けられている。更に、このリンク機構３は、構成リンクの一方例えば第２のリンク５と背支桿９とが背支桿リンク１１で互いに揺動可能に連結されると共に第２のリンク５と反力ユニット１２も連結され、背支桿９と同一回転方向にリンク機構３が屈曲するように設けられている。これによって、リンク機構３は、背凭れ部に荷重が掛かっていないときには死点を構成して座部２にかかる荷重を支持すると共に背凭れ部に荷重が掛かるときには背支桿９と連動して死点が解除されて屈曲し座部２を背凭れ部の傾動と連動させて傾斜させるように設けられている。ここで、背支桿９は背支桿腕１０を介して背支桿リンク１１と回転自在に連結されている。また、反力ユニット１２としては、圧縮コイルスプリングを反力発生源としたものが採用され、支持金具７の前端での固定位置を回転によって移動させる初圧調整機構１３が備えられている。
【００１７】
座受金具８は、長方形の取付板８ａと該取付板８ａの左右両側縁が直角に折り曲げられた軸支持板８ｂ，８ｂとにより構成されている。取付板８ａの上側には、座部２の座板がボルト１４，１４によりねじ止めされている。また、各軸支持板８ｂ，８ｂの前後部には、軸支持孔８ｃ，８ｄが形成されている。ここで、後側の軸支持孔８ｄには、第１のリンク４，４が取り付けられている。各第１のリンク４，４は、各軸支持板８ｂ，８ｂのそれぞれ内側に位置すると共に、各軸支持板８ｂ，８ｂを貫通する第１のリンク軸１５により回転可能に取り付けられている。
【００１８】
支持金具７は、前後を長手方向とする４枚の垂直板７ａ，７ａ，７ｂ，７ｂを有している。各垂直板７ａ，７ａ，７ｂ，７ｂの隣り合ったもの同士は、連結板７ｉにより連結されている。さらに、中央の２枚の垂直板７ａ，７ａの前端部は、ほぼ水平な連結板７ｃにより連結されている。また、中央の２枚の垂直板７ａ，７ａは、両端の２枚の垂直板７ｂ，７ｂより後部を短くして形成されている。そして、中央の２枚の垂直板７ａ，７ａの後方には、脚柱６の上端部を収容する円筒部７ｄが形成されている。
【００１９】
支持金具７の前部と中央部とには、４枚の垂直板７ａ，７ａ，７ｂ，７ｂを通過する水平な軸支持孔７ｅ，７ｆが形成されている。ここで、支持金具７の前部は、座受金具８の各軸支持板８ｂ，８ｂの間に収容されている。そして、座受金具８の前側の軸支持孔８ｃと支持金具７の前側の軸支持孔７ｅとには、前固定軸１６が貫通して取り付けられている。このため、座受金具８及び座部２は、前固定軸１６を中心に揺動可能とされている。
【００２０】
支持金具７の中央部の軸支持孔７ｆには、昇降操作レバー１７が回転可能に取り付けられている。該昇降レバー１７の中央部の軸支持孔と支持金具７の中央部の軸支持孔７ｆとを貫通して、後固定軸１８が設けられている。また、昇降操作レバー１７は、中央の垂直板７ａと隣り合う端の垂直板７ｂとの間に位置している。ここで、昇降操作レバー１７の後端部は、昇降操作レバー１７の揺動により脚柱６の上端部のガススプリングに係合可能とされている。また、昇降操作レバー１７の前端部には、該先端部を引き上げるワイヤ１９の一端部が係合されている。このため、ワイヤ１９の他端部に取り付けられた図示しない操作レバーの操作により、脚柱６のガススプリングが伸縮可能となる。
【００２１】
また、支持金具７の両端の２枚の垂直板７ｂ，７ｂの後端部には、背支桿支持孔７ｇ，７ｇが形成されている。各背支桿支持孔７ｇ，７ｇには、断面六角形の透孔を有する回転板２０が回転可能に嵌合されている。各回転板２０，２０の外側にはフランジ部が形成されている。このフランジ部は各背支桿支持孔７ｇ，７ｇの縁に接し、各回転板２０，２０の内側への脱落を防止している。また、各フランジ部の外側には背支桿腕１０が接している。各背支桿腕１０，１０には、回転板２０の透孔と等しい大きさの断面六角形の透孔が形成されている。また、支持金具７の垂直板７ｂ，７ｂの後端部には、リンク機構３が伸ばされて図１に示す死点を構成する位置に移されたときに背支桿腕１０と当接してそれ以上背支桿腕１０が後方へ移動しないように（図１で反時計回転方向へ回転しないように）規制してリンク機構３がくの字形に折れ曲がらないようにするストッパ７ｊが設けられている。このストッパ７ｊには反力ユニット１２の力を受けて背支桿腕１０が押し当てられる。したがって、背支桿腕１０の後方への移動の規制は、反力が与えられつつ行われるので、背支桿９，９のがたつきが防止できる。
【００２２】
さらに、各背支桿腕１０，１０の透孔と各回転板２０，２０の透孔とを貫通して、断面六角形の背支桿支持軸２１が設けられている。背支桿支持軸２１の両端部には、背支桿９，９の下端部が嵌合されている。このため、各回転板２０，２０及び各背支桿腕１０，１０と背支桿支持軸２１と背支桿９，９とは、一体化して支持金具７に対して回転する。なお、各背支桿腕１０，１０及び各回転板２０，２０と背支桿支持軸２１との接触面は６面有るので、比較的多くの面を接触させて回転を伝達することができる。このため、接触辺の１本当たりの負荷が小さくなり、各回転板２０，２０及び各背支桿腕１０，１０と背支桿支持軸２１と背支桿９，９との一体化の確実性が向上し、また各部材の長寿命化を図ることができる。なお、本実施形態では背支桿支持軸２１の断面形状を６角形としたが、これに特に限られず四角形な八角形などの他の多角形あるいは楕円形でも構わない。また、各透孔の外周壁を貫通して接触面にボルト等を押し付けることにより、伝達可能なトルクを大きくしたり軸方向への滑りを防止しても構わない。
【００２３】
また、背支桿腕１０の先端部には、背支桿リンク１１がピン２２及びＥリング２３により回転可能に取り付けられている。
【００２４】
一方、第２のリンク５は、ほぼ三角形の板状で、中央部と２つの角部とに軸支持孔５ａ，５ｂ，５ｃが形成され、残りの１つの角部に軸止ピン５ｄが設けられている。第２のリンク５は、支持金具７の両端の２枚の垂直板７ｂ，７ｂの外側にそれぞれ配置されている。そして、各第２のリンク５，５の中央部の軸支持孔５ａは、後固定軸１８に取り付けられている。また、各第２のリンク５，５は、各第１のリンク４，４の外側に位置している。そして、各第２のリンク５，５の上部の軸支持孔５ｂと各第１のリンク４，４の下側の軸支持孔とを貫通して、座部支持軸２４が取り付けられている。この座部支持軸２４は支持金具７の上方で移動可能とされている。この可動範囲の後端部に位置する支持金具７の一部には、上方に突出したストッパ７ｈ，７ｈが形成されている。このため、第２のリンク５が後固定軸１８を中心に図１及び図４中時計回転方向に揺動すると、座部支持軸２４がストッパ７ｈに当接する。これにより、第２のリンク５はそれ以上回転できなくなる。即ち、リンク機構３の第２のリンク５がそれ以上後方へ倒れるのを規制して、反力ユニット１２に荷重負担を掛けないように設けられている。しかし、場合によっては、反力ユニット１２の端部部材２６，２７が突き当たることによってそれ以上リンク５が回動しないように設けることも可能である。なお、本実施形態では、座部２及び背凭れの傾斜角度の比は例えば１：２．５程度とされている。そして、座部の最大傾斜角度は例えば６度、背凭れの最大傾斜角度は例えば１５度とされている。
【００２５】
さらに、座部２及び背凭れが原位置にある静止状態では、各第１のリンク４，４及び各第２のリンク５，５を相互に揺動自在に連結する３本の軸すなわち第１のリンク軸１５と座部支持軸２４と後固定軸１８とは、１本の鉛直線上に配置されている。この時、リンク機構３は死点を構成している。このため、リンク機構３は、着座により座部に作用する鉛直な荷重を同じく鉛直に配置した突っ支え棒として支持することができる。このとき、背凭れの動きに対して座部２が遅れなくスムーズに追従することができる。なお、本実施形態ではリンク機構３の各軸１５，２４，１８は１鉛直線上に配置することによって容易に死点を得ているが、これに特に限定されるものではなく、例えばリンク機構３を一直線状に伸ばしたときに座部２を介して作用する荷重の方向と一致して死点を構成するのであれば鉛直線に対して傾斜していても構わない。この構造であっても、突っ支え棒となって座部２の荷重を支持することができる。また、場合によっては、リンク機構３を僅かにくの字形に屈曲させた状態で軸２４の動きを止めるストッパを支持板７ａ，７ａに設け、座部２から作用する荷重に対して動きを固定する死点と同じ状態をつくり出すことも可能である。この場合、背凭れが動かないときのリンク機構３の固定は確実に行うことができると共に背凭れが或る一定範囲まで動かなければ座部２が動かないようにできる。
【００２６】
また、図１及び図４中で、背支桿腕１０と背支桿リンク１１との間の角度は、背凭れが傾斜していない時には直角よりやや大きい角度で、背凭れが傾斜するにつれて更に大きい角度になるものとしている。すなわち、背凭れの傾斜角度が大きくなるにつれ、背支桿リンク１１の押し出される長さが小さくなるように設定されている。さらに、背支桿リンク１１と第２のリンク５の軸止ピン５ｄ及び後固定軸１８を結ぶ直線との間の角度は、背凭れが傾斜していない時には直線に近い大きい角度で、背凭れが傾斜するにつれて小さくなり直角に近い角度になるものとしている。すなわち、背凭れの傾斜角度が大きくなるにつれ、背支桿リンク１１から第２のリンク５への回転力が大きくなるよう設定されている。
【００２７】
このため、背凭れの傾斜角度の増大により反力ユニット１２による抵抗力が大きくなっても、背支桿腕１０と背支桿リンク１１とがトグル機構を構成すると共に、背支桿リンク１１から第２のリンク５への回転力が大きくなるので、背凭れに対する荷重とこれによる傾斜角度とのばね特性はほぼ平坦なものとなる。したがって、着座者が背凭れを傾斜させるのに必要な荷重は、背凭れの傾斜角度に拘わらずほぼ一定となり、使用感を向上させることができる。
【００２８】
また、反力ユニット１２は、摺動軸２５により案内されて間隔を変更可能な基端部材２６及び先端部材２７と、各端部部材２６，２７の間に介在する圧縮コイルばね２８とを備えている。基端部材２６と先端部材２７とは圧縮コイルばね２８が圧縮されるときに座屈しないように保持すると共にある程度以上は圧縮されないようにして背もたれの傾動を規制する機能を有する。このため、各端部部材２６，２７同士を近接させる力が加わると、圧縮コイルばね２８が圧縮される。そして、反力ユニット１２は、支持金具７の中央の２枚の垂直板７ａ，７ａの間に位置している。この反力ユニット１２の基端部材２６は、各第２のリンク５の下部の軸支持孔５ｃに支持軸３３により取り付けられている。
【００２９】
なお、本実施形態では、反力ユニット１２をいわゆるフリーロッキング式とし、全長を任意の長さに固定できないものとしている。また、弾性力を生じさせるために弾性体を使用している。弾性体としては圧縮コイルばね２８を用いているが、これに限らず他の弾性体、例えばゴムやウレタンフォームを用いることができる。したがって、反力ユニット１２の選択可能な種類が増加し、特に安価な弾性体を用いた反力ユニット１２を選択して使用すれば、部品コストを低減することができる。また、本実施形態では、反力ユニット１２のみにより背凭れ及び座部２を復起させているが、これに限らず復起のための補助ばねを設けても構わない。例えば、図１の想像線で示すように、支持金具７と座受金具８との間に圧縮コイルばねから成る補助ばね１２’を鉛直に設けることができる。この場合、座部２の荷重は反力ユニット１２の他に補助ばね１２’によっても支持されるので、座部荷重が大きくても座部２を容易に復起させることができる。
【００３０】
一方、初圧調整機構１３は、反力ユニット１２の先端部材２７が取り付けられたばね支持リンク２９と、該ばね支持リンク２９に係合する押さえピン３０と、押さえピン３０の位置を調整する操作ノブ３１とを備えている。ばね支持リンク２９の上下部には、水平な軸支持孔２９ａ，２９ｂが形成されている。ばね支持リンク２９の前部には、上側が開放された係合凹部２９ｃが形成されている。ばね支持リンク２９の上部の軸支持孔２９ａは、前固定軸１６の中央部に回転可能に取り付けられている。ばね支持リンク２９の下部の軸支持孔２９ｂには、反力ユニット１２の先端部材２７がピン３２により回転可能に取り付けられている。このため、ばね支持リンク２９は、反力ユニット１２により前固定軸１６を中心に図中時計回転方向に付勢されている。
【００３１】
また、ばね支持リンク２９の係合凹部２９ｃには押さえピン３０の両端部が係合されている。押さえピン３０の中央部には、その軸方向と直交して貫通するねじ孔３０ａが形成されている。一方、操作ノブ３１は、支持金具７の前端部の連結板７ｃに形成された透孔に回転可能に嵌合され、樹脂製のスラストワッシャ３８により脱落しないよう止着されている。このため、スラストワッシャ３８がベアリングとして機能するので、操作ノブ３１の回転に必要なトルクを低減することができる。さらに、操作ノブ３１の先端部には、ねじ部３１ａが形成されている。このねじ部３１ａは、押さえピン３０のねじ孔３０ａに螺合されている。
【００３２】
ここで、ばね支持リンク２９は反力ユニット１２により付勢されているので、その係合凹部２９ｃは押さえピン３０を押し上げて操作ノブ３１を引っ張り上げる方向に付勢する。これに対し、操作ノブ３１は連結板７ｃに係合しているので上方に移動できない。このため、押さえピン３０は移動せず、ばね支持リンク２９の回動が制限される。また、操作ノブ３１を回転すると、ねじ部３１ａに螺合する押さえピン３０が上下に移動する。これにより、連結板７ｃと押さえピン３０との間隔が変化するので、ばね支持リンク２９の設置角度が変化する。このため、反力ユニット１２の長さが調整されるので、圧縮に必要なばね力が変化する。これにより、背凭れを傾斜させるために必要な荷重の大きさを調整することができる。
【００３３】
以上のように構成された椅子によると、人が着座した際には、座部２及び座受金具８に掛かった荷重を前固定軸１６と第１のリンク軸１５とが受ける。ここで、前固定軸１６に掛かった荷重は、支持金具７により直接支持される。これに対し、第１のリンク軸１５に掛かった荷重は、第１のリンク４及び第２のリンク５を介して支持金具７により支持される。ここで、第１のリンク４及び第２のリンク５は鉛直な直線状に配置されているので死点となって、第１のリンク軸１５に掛かった荷重は第１のリンク４及び第２のリンク５に圧縮力としてのみ働き回転力を与えない。すなわち、リンク機構３と支持金具７と座受金具８とがトラスとして機能し、リンク機構３は突っ支え棒となる。これにより、着座する際に勢い良く体重を掛けても第１のリンク４及び第２のリンク５は回転しないので、座部２及び座受金具８が前固定軸１６を中心に揺動してしまうことはない。そして、第２のリンク５が回転しないので、背支桿９及び背凭れは揺動しない。このため、勢い良く着座して座部２に衝撃を与えても、背凭れの揺動の反動で着座者の背中を叩くことはない。
【００３４】
しかし、着座者が背凭れに凭れ掛かると、背凭れが傾斜されて背支桿９が図中時計回転方向に回転され、これに伴い背支桿腕１０も同方向に回転する。そして、背支桿腕１０により、背支桿リンク１１が前方に押し出される。さらに、背支桿リンク１１により、第２のリンク５が後固定軸１８を中心として時計回転方向に回転される。第２のリンク５の回転により、第１のリンク４が座受金具８に対して反時計回転方向に回転される。このため、座受金具８及び座部２が前固定軸１６を中心として時計回転方向に回転する。これにより、リンク機構３が屈曲して座部２の後部が下降して前端の軸１６を中心に座部２が傾斜する。即ち、座部前方の高さを迫り上げずにほぼそのまま維持して座部を前上がりに傾斜させる。このとき、大腿部の圧迫を招かずに安楽姿勢をとることができる。
【００３５】
また、第２のリンク５を時計回転方向に回転させることにより、反力ユニット１２が圧縮される。このため、着座者による背凭れへの荷重と座部２に掛かる体重とが反力ユニット１２の抵抗力と釣り合った状態で、背凭れ及び座部２の傾斜が停止する。なお、座部２及び背凭れの傾斜は、図４に示すように座部支持軸２４がストッパ７ｈ，７ｈに当接するまで行われる。本実施例では、座部２は６度まで、背凭れは１５度まで傾斜可能とされている。
【００３６】
一方、着座者が背中を起こして背凭れに掛かる力を低減すると、圧縮コイルばね２８への圧縮力が低減する。このため、反力ユニット１２が伸長し、第２のリンク５を反時計回転方向に回転させる。第２のリンク５は背支桿リンク１１を後方に押し戻し、背支桿腕１０を介して背支桿９を前方に揺動させる。これにより、背凭れが起き上がる。また、第２のリンク５の反時計回転方向への回転により第１のリンク４が上方に移動され、これにより座受金具８及び座部２が上昇しほぼ水平で静止した状態に戻る。
【００３７】
なお、上述の実施形態は本発明の好適な実施の一例ではあるがこれに限定されるものではなく本発明の要旨を逸脱しない範囲において種々変形実施可能である。例えば、本実施形態では、反力ユニット１２をフリーロッキング式としているので、初圧調整機構１３を設けることが好ましいが、設けなくても構わない。この場合、部品点数を減少させ、椅子の軽量化と部品コストの低減とを図ることができる。
【００３８】
また、反力ユニット１２をいわゆるロック式、すなわち無負荷の状態での全長をある範囲内で任意の大きさに設定可能なものとしても構わない。この場合、図５及び図６に示すように、反力ユニット１２に例えばガススプリング３４を用いる。ガススプリングの先端部は、前固定軸１６の中央部に回転可能に取り付けられている。ガススプリング３４の基端部は、支持リンク３５にねじ止めされている。支持リンク３５は、第２のリンク５に取り付けた支持軸３３の中央部に回転可能に取り付けられている。また、支持リンク３５には、ガススプリング３４を操作可能な押圧レバー３６と該押圧レバー３６を揺動可能なワイヤ３７とが設けられている。そして、ワイヤ３７の一端部は押圧レバー３６の先端部に係合され、ワイヤ３７の他端部は図示しない操作レバーに接続されている。
【００３９】
したがって、着座者が操作レバーを操作することにより押圧レバー３６を揺動して、これによりガススプリング３４が伸縮可能な状態になる。この状態で背凭れに荷重を掛けてその傾斜角度を調整することができる。そして、操作レバーを解放することによりガススプリング３４がロックされ、これにより背凭れと座部２との傾斜角度を変更した新たな原位置を設定することができる。
【００４０】
新たな原位置にある背凭れに荷重を掛けると、ガススプリング３４の弾力性でさらに傾斜する。また、反力ユニット１２がロック式であるか否かに拘わらず座受部１の他の各部品を用いることができるので、これら座受部１の他の各部品の共用化を図ることができる。
【００４１】
上述した実施形態では、初圧調整機構を設けていないので、部品点数の減少による小型軽量化と低コスト化を図ることができる。ロック式ガススプリングの操作レバーを押し続けることによってフリーロッキング状態とすることも可能である。また、リンク機構３の前方の移動端を規制するストッパ７ｊは、場合によっては図１に仮想線で示すように、軸２４を前方から直接指示するように配置しても良い。
【００４２】
【発明の効果】
以上の説明より明らかなように、請求項１の椅子の座受支持機構によれば、座受部材と脚側固定部材との間に、背凭れ部に荷重が掛かっていないときには死点を構成して座部にかかる荷重を支持すると共に背凭れ部に荷重が掛かるときには背支桿と連動して死点が解除されて屈曲し座部を背凭れ部の傾動と連動させて傾斜させるリンク機構を設けているので、着座しても背凭れ部の背凭れに凭れ掛かっていない時には、座部を支持する屈曲可能なリンク機構が死点を構成しているので、座部にかかる荷重がリンク機構には圧縮力としてしか作用せず座部が傾斜することもなければ背凭れが揺動することもない。したがって、背凭れに寄り掛からない限り座部と背凭れとの連動が起こらず、使用者が勢い良く着座しても、背凭れが着座者の背中を叩くことはなく、不快感を与えることがない。
【００４３】
また、請求項２の座受支持機構によれば、座部前方の高さを迫り上げずにほぼそのまま維持して座部を前上がりに傾斜させることができるので、大腿部の圧迫を招かずに安楽姿勢をとることができる。
【００４４】
さらに、請求項３の座受支持機構によれば、初圧調整機構を必要としないので、部品点数を少なくして小形軽量化が可能となる。
【００４５】
また、請求項４の座受支持機構によれば、安価な反力ユニットの使用により低コスト化が可能となる。しかも、初圧調整機構によって反力の大きさを好みに応じて調整することができ、座り心地を向上させることができる。
【図面の簡単な説明】
【図１】座部及び背凭れが傾斜していない状態である本発明の椅子の座受支持機構を示す側面図である。
【図２】椅子の座受支持機構を示す底面図である。
【図３】椅子の座受支持機構を示す分解斜視図である。
【図４】座部及び背凭れが傾斜した状態である椅子の座受支持機構を示す側面図である。
【図５】椅子の座受支持機構の他の実施形態を示す側面図である。
【図６】椅子の座受支持機構の他の実施形態に用いる反力ユニットを示す分解斜視図である。
【図７】従来の椅子の座受支持機構を示す側面図である。
【符号の説明】
１  座受支持機構
２  座部
３  リンク機構
４  第１のリンク
５  第２のリンク
６  脚柱（脚部）
７  支持金具（脚側固定部材）
８  座受金具（座受部材）
９  背支桿（背凭れ部）
１１  背支桿リンク
１２  反力ユニット
１３  初圧調整機構
２８  反力ユニットを構成する圧縮コイルばね
３４  反力ユニットを構成するガススプリング
【図１】
0003778984.tif 000002
【図２】
0003778984.tif 000003
【図３】
0003778984.tif 000004
【図４】
0003778984.tif 000005
【図５】
0003778984.tif 000006
【図６】
0003778984.tif 000007
【図７】
0003778984.tif 000008